(57)【要約】【課題】ユーザが意図する文字を容易かつスピーディに削除する。【解決手段】文字の入力及び編集の指示をすると共に入力された文字を表示する操作表示部１と、操作表示部１から入力された文字を記憶すると共に操作表示部１にカーソルと共に表示させる制御部７とを備えた文字入力装置において、制御部７は、操作表示部１からＢＳキー１２が長押しされると、当該長押しの継続時間に応じてカーソル１を基点として最寄の句読点までの文字を順次削除する。【選択図】図４
2008243036.tif 000002
【特許請求の範囲】
【請求項１】
文字の入力及び編集の指示をする操作部と、該操作部から入力された文字を表示する表示部と、前記操作部から入力された文字を記憶すると共に前記表示部にカーソルと共に表示させる制御部とを備えた文字入力装置であって、
前記制御部は、前記操作部から文字削除指示が入力される度に、既に記憶して前記表示部に表示させた文字のうち、カーソルを基点として最寄の句読点までの文字を順次削除することを特徴とする文字入力装置。
【請求項２】
文字の入力及び編集の指示をする操作部と、該操作部から入力された文字を表示する表示部と、前記操作部から入力された文字を記憶すると共に前記表示部にカーソルと共に表示させる制御部とを備えた文字入力装置であって、
前記制御部は、前記操作部から文字削除指示が入力される度に、既に記憶して前記表示部に表示させた文字のうち、カーソルを基点として最寄の句読点から区切り番号を順次付与し、前記操作部から削除対象番号が入力されると、当該削除対象番号に該当する文字を削除することを特徴とする文字入力装置。
【請求項３】
前記制御部は、所定の操作キーの長押し時間に基づいて文字削除指示の操作回数を判断することを特徴とする請求項１または２記載の文字入力装置。
【請求項４】
請求項１〜３の何れかに記載の文字入力装置を備えることを特徴とする画像形成装置。
【発明の詳細な説明】
【技術分野】
【０００１】
本発明は、文字入力装置及び文字入力機能を備えた画像形成装置に関する。
【背景技術】
【０００２】
携帯電話機あるいはプリンタ装置、複写機装置、ファクシミリ装置等に代表される画像形成装置には、文字入力機能を備えたものがある。このような携帯電話機や画像形成装置では、主に電子メールを作成する際に文字入力機能を使用している。下記特許文献1には、携帯電話機の文字入力（文書作成）において、入力済みの文字を効率良く削除して編集する技術が開示されている。この従来技術は、クリアキーを長押しすることによって文字の削除範囲を指定するための文字削除範囲指定が表示されると、カーソルの位置を認識し、当該カーソルの前の文章を一括して削除するものである。
【特許文献１】特開２００４−０７８８１９号公報
【発明の開示】
【発明が解決しようとする課題】
【０００３】
しかしながら、上記従来技術では、カーソルの前の文章を一括して削除するので、ユーザが意図する範囲を容易に削除することができない。例えば、文章中のある行の第６列目にカーソルが位置し、当該行の先頭から第３列目までの文字を削除しようとした場合、従来技術ではカーソルのある行の全文字が削除されてしまうので、ユーザが削除を意図しない第1列目と第２列目の文字までも削除されてしまうために、文字入力後の文章編集操作の作業性が悪いという問題がある。
【０００４】
本発明は、上述した事情に鑑みたものであり、ユーザが意図する文字を容易かつスピーディに削除することを目的とする。
【課題を解決するための手段】
【０００５】
上記目的を達成するために、本発明は、文字入力装置に係る第１の解決手段として、文字の入力及び編集の指示をする操作部と、該操作部から入力された文字を表示する表示部と、前記操作部から入力された文字を記憶すると共に前記表示部にカーソルと共に表示させる制御部とを備えた文字入力装置であって、前記制御部は、前記操作部から文字削除指示が入力される度に、既に記憶して前記表示部に表示させた文字のうち、カーソルを基点として最寄の句読点までの文字を順次削除する、という手段を採用する。
【０００６】
また、文字入力装置に係る第２の解決手段として、文字の入力及び編集の指示をする操作部と、該操作部から入力された文字を表示する表示部と、前記操作部から入力された文字を記憶すると共に前記表示部にカーソルと共に表示させる制御部とを備えた文字入力装置であって、前記制御部は、前記操作部から文字削除指示が入力される度に、既に記憶して前記表示部に表示させた文字のうち、カーソルを基点として最寄の句読点から区切り番号を順次付与し、前記操作部から削除対象番号が入力されると、当該削除対象番号に該当する文字を削除する、という手段を採用する。
【０００７】
文字入力装置に係る第３の解決手段として、前記制御部は、所定の操作キーの長押し時間に基づいて文字削除指示の操作回数を判断する、という手段を採用する。
【０００８】
また、本発明では、画像形成装置に係る解決手段として、上記第1〜第４の何れかの文字入力装置を備える、という手段を採用する。
【発明の効果】
【０００９】
本発明によれば、前記操作部から文字削除指示が入力される度に、既に記憶して前記表示部に表示させた文字のうち、カーソルを基点として最寄の句読点までの文字を順次削除するので、ユーザが意図する句読点までの文字を容易かつスピーディに削除することができる。
【発明を実施するための最良の形態】
【００１０】
以下、図面を参照して、本発明の実施形態について説明する。
〔第１実施形態〕
図１は、本第１実施形態に係る複合機Ａの機能構成を示すブロック図である。本複合機Ａは、プリンタ、ファクシミリ装置、スキャナ及び複写機としての機能を備えるものであり、図示するように操作表示部１、画像読取部２、画像記憶部３、通信部４、画像処理部５、印刷部６及び制御部７を備えている。
【００１１】
図２は、操作表示部１のレイアウトを示す模式図である。操作表示部１は、図１及び図２に示すように、タッチパネル１ａ及び操作キー１ｂから構成されており、ユーザと本複合機Ａとを関係付けるマンマシンインタフェースとして機能する。タッチパネル１ａは、周知のように表示パネルの表示面に抵抗膜方式等の透明な面状押圧センサを設けたものであり、制御部７によって表示パネルに表示された操作キーにユーザが指等で押圧すると、面状押圧センサが押圧位置（押圧座標）を示す操作信号を制御部７に出力するものである。
【００１２】
このようなタッチパネル１ａには、各種機能がそれぞれ割り付けられた複数の操作キーが制御部７によって所定のレイアウトで表示されるが、これに加えて、タッチパネル１ａは、制御部７による制御の下に、電子メール作成等に用いられる文字入力画面をも表示する。
【００１３】
図３は、上記文字入力画面のレイアウトを示す模式図である。この文字入力画面は、ソフトウエアキーボード８と当該ソフトウエアキーボード８を介してユーザから入力された文字を表示する文字表示部９とを含むものである。なお、文字表示部９は、ユーザから入力された文字に加え、文字入力や文字変種におけるフォーカス位置を示すカーソル１０（図５参照）を表示する。
【００１４】
ソフトウエアキーボード８は、数字キーやアルファベットキーの他に、文字表示部９に文字と一緒に表示されるカーソルの移動方向を指示するための矢印キー１１ａ，１１ｂ，１１ｃ，１１ｄ、カーソルを基点として後方の文字の削除を指示するためのＢＳキー１２、カーソルを基点として前方の文字の削除を指示するためのＤＥＬキー１３、入力操作をキャンセルするためのCancelキー１４及び入力操作の確定を指示するためのenterキー１５等を含んでいる。
【００１５】
操作キー１ｂは、例えば機能選択キー、数字キー、Ｃ（クリア）キー、処理の開始を指示するスタートキー等からなる各種のハードウエアキーである。タッチパネル１ａに表示される操作キーは、制御部７が所定のプログラムに基づいてソフトウエア的に表示させるものであるが、操作キー１ｂは、ハードウエアキーとして物理的に備えられたものであり、ユーザの操作に基づいた操作信号を制御部７に出力する。
【００１６】
図２に示すように、操作キー１ｂのうち、機能選択キーはタッチパネル１ａの左側に、また残りの数字キー、クリアキー及びスタートキー等は、タッチパネル１ａの右側にそれぞれ配置されている。
このような操作表示部１は、本複合機Ａに対して各種の操作指示を入力するためだけではなく、本複合機Ａに平仮名、漢字、アルファベット及び数字等の各種文字を入力するためのものである。例えば本複合機Ａから外部に電子メールを送信する際、ユーザは、操作表示部１を操作して文字を本複合機Ａに入力することにより電子メールのタイトルや本文を作成することになるが、このように電子メールの作成等において、操作表示部１は、後述するように制御部７と協働することにより文字入力装置として機能する。
【００１７】
画像読取部２は、原稿台及びスキャナ等を備えており、制御部７による制御の下に、原稿台に載置された原稿の画像（原稿画像）をスキャナで読み取って画像記憶部３に出力する。画像記憶部３は、ハードディスク等の外部記憶装置あるいは／及び半導体メモリから構成されており、制御部７から入力される制御指令に基づいて上記原稿画像の画像データの書き込む一方、当該画像データを読み出して画像処理部５に出力する。
【００１８】
通信部４は、制御部７による制御の下に、ＬＡＮ（Local Area Network）や電話回線を用いて外部の複合機やファクシミリ装置、あるいはＰＣ（Personal Computer）等と通信を行うものである。すなわち、この通信部４は、イーサネット（登録商標）等のＬＡＮ規格に準拠した通信機能とＧ３等のファクシミリ規格に準拠した通信機能とを兼ね備えたものである。例えば、通信部４は、制御部７から入力された電子メールに画像記憶部３から取得した送信画像を添付してＬＡＮに送信する一方、ＬＡＮから画像が添付された電子メールを受信すると、電子メールの本体を制御部７に、画像（受信画像）を画像記憶部３にそれぞれ出力する。
【００１９】
画像処理部５は、本実施形態における画像合成部に相当するものであり、画像記憶部３と共同することにより当該画像記憶部３に記憶された原稿の画像データ（ＲＧＢ型式画像データ）に各種の画像処理を施すと共に、当該画像処理によって生成された画像データ（ＲＧＢ型式画像データ）を印刷形式の画像データ（ＹＣＭＫ型式画像データ）に変換して印刷部６に出力する。
【００２０】
印刷部６は、画像処理部５から入力された印刷形式の画像データに基づいて原稿の画像を用紙に印刷するものである。この印刷部６は、例えばタンデムン方式を採用するものであり、Ｙ（イエロー）、Ｃ（シアン）、Ｍ（マゼンダ）、Ｋ（ブラック）の各色に対応する複数の感光ドラムを中間転写ベルトに沿って並設し、レーザ光を用いて各感光ドラム上に単色のトナー画像を個別に形成し、各感光ドラム上のトナー画像を中間転写ベルトに転送（一次転写）し、さらに中間転写ベルト上の全色のトナー画像を用紙に二次転写するものである。
【００２１】
制御部７は、ＣＰＵ（Central Processing Unit）及びＲＯＭ（Read Only Memory）やＲＡＭ（Random Access Memory）等の内部メモリ、並びに上記操作表示部１、画像読取部２、画像記憶部３、通信部４、画像処理部５及び印刷部６とのデータ授受を行う各種入出力インターフェース回路等から構成されている。制御部７は、ＣＰＵが操作表示部１から入力される操作指示等に基づいてＲＯＭに記憶された制御プログラムを実行することにより、制御対象である操作表示部１、画像読取部２、画像記憶部３、通信部４、画像処理部５及び印刷部６を全体的に制御する。
【００２２】
上記制御プログラムは、制御対象の制御機能だけではなく、操作表示部１を用いた文字入力機能を実現するための文字入力機能を含むものである。この文字入力機能は、日本語の仮名漢字変換機能をも含むものであり、ユーザが操作表示部１を操作して文字を入力する場合（例えば電子メールを作成する場合等）に起動してＣＰＵによって実行される。
すなわち、制御部７と操作表示部１とは、本複合機Ａにおける文字入力装置を構成しており、このような文字入力装置は、本複合機Ａの特徴点である。
【００２３】
次に、このように構成された本複合機Ａの特徴的動作、つまり本複合機Ａの文字削除に関する動作について、図４及び図５のフローチャート並びに図６の模式図を参照して詳しく説明する。なお、この動作説明では、ユーザが電子メールを作成する際における文字入力動作を例にとって説明する。
【００２４】
ユーザがファクシミリ機能の１つである電子メールの作成指示を操作表示部１に入力すると、制御部７は、制御プログラムに基づいて文字入力画面としての電子メール作成画面（図３参照）をタッチパネル１ａに表示させる。ユーザは、このタッチパネル１ａに表示されたソフトウエアキーボード８を操作することによって、電子メールのタイトルや本文に関する文字の入力と自らが入力した文字の編集とを行う。
【００２５】
すなわち、制御部７は、例えばソフトウエアキーボード８から順次入力されたアルファベットを平仮名や漢字に順次変換して日本語の文字として内部メモリに順次記憶させると共に文字表示部９に順次表示させると共に、カーソル１０の位置を文字の末尾に順次移動させる。このような文字入力が繰り返されることによって、制御部７の内部メモリには、例えば図６（ａ）に示すようなメール本文の文章が最終的に記憶される一方、文字表示部９には当該文章がカーソル１０と共に表示される。
【００２６】
さて、制御部７は、このような文字入力（文章作成）の途中において、ユーザがＢＳキー１２を操作すると、図４及び図５に示す文字削除処理を実行する。
すなわち、制御部７は、ユーザの操作によってＢＳキー１２の状態が「ＯＮ」状態になると（ステップＳ1）、内部タイマ値ｔを「０」に初期設定する（ステップＳ2）。そして、制御部７は、ＢＳキー１２のＯＮ状態が継続していない場合（ステップＳ3）、つまりＢＳキー１２の「ＯＮ」状態が「ＯＦＦ」状態に変化すると、カーソル１０の位置を基点として１文字を内部メモリ及び文字表示部９から削除し（ステップＳ4）、文字削除処理を終了する。
【００２７】
一方、制御部７は、ＢＳキー１２のＯＮ状態が継続している場合（ステップＳ3）、上記内部タイマ値ｔが第１の単位時間である「１」に至ったか否かを判断し（ステップＳ5）、この判断が「ＮＯ」の場合は、ステップＳ3を繰り返すことによりユーザがＢＳキー１２を長押し（ｔ＞１を満足するＢＳキー１２のＯＮ状態）ではなく通常操作した場合には、制御部７は、カーソル１０の位置を基点として１文字のみを削除する（ステップＳ4）。そして、制御部７は、ＢＳキー１２が長押しされたと判断すると、つまりステップＳ5の判断が「ＹＥＳ」となると、句読点検索処理を実行する（ステップＳ6）。
【００２８】
図５は、上記句読点検索処理の手順を示すフローチャートである。制御部７は、この句読点検索処理において、最初に削除文字数Ｓを「０」に初期設定する（ステップＳ16）。そして、制御部７は、カーソル１０の位置を基点として文頭方向にＳ番目に位置する文字が句読点であるか否かを判定し（ステップＳ17）、この判断が「Ｙｅｓ」の場合は引き続きステップＳ7の処理を実行し、「Ｎｏ」の場合には削除文字数Ｓをインクリメントして上記ステップＳ17の判断処理を繰り返すことにより句読点に該当する削除文字数Ｓを求める。
【００２９】
図６（ａ）では、カーソル１０の隣に句読点である「。」が存在するので、この句読点に該当する削除文字数Ｓは「１」となる。このようにして削除文字数Ｓの値を求めると、制御部７は、カーソル１０の位置を基点として削除文字数Ｓに相当する文字（文頭方向にＳ文字）を削除する（ステップＳ7）。すなわち、図６（ｂ）に示すように、カーソル１０の左隣の「。」が削除される。このような１回目のＳ文字削除が完了すると、制御部７は、内部タイマ値ｔを「０」に再び初期設定し（ステップＳ8）、ＢＳキー１２のＯＮ状態がさらに継続しているか否かを判断する（ステップＳ9）。
【００３０】
そして、制御部７は、ステップＳ9においてＢＳキー１２のＯＮ状態がさらに継続していると判断すると、上記内部タイマ値ｔが第２の単位時間である「０．２」に至ったか否かを判断し（ステップＳ10）、この判断が「ＮＯ」の場合は、ステップＳ9の処理を繰り返すことにより、１回目のＳ文字削除の後、ＢＳキー１２のＯＮ状態が０．２を超えない場合は、ＢＳキー１２の長押し状態が解除されたものとして文字削除処理を終了する。
【００３１】
一方、制御部７は、ステップＳ10の判断が「ＹＥＳ」、つまり１回目のＳ文字削除の後、ＢＳキー１２のＯＮ状態が０．２を超えて継続している場合には、２回目の句読点検索処理を実行し（ステップＳ11）、その上で２回目のＳ文字削除を実行する（ステップＳ12）。
【００３２】
ここで、上記ステップＳ7における１回目のＳ文字削除の結果、メール本文は図６（ｂ）の状態にあるので、ステップＳ11の句読点検索処理では、３行目の「は」と「曇」との間にある句読点「、」に相当する制御変数Ｓの値が求められる。したがって、制御部７は、ステップＳ12において、カーソル１０を基点として句読点「、」までの文字を削除し、この結果メール本文は図６（ｃ）のようになる。
【００３３】
このようにして２回目のＳ文字削除が完了すると、制御部７は、内部タイマ値ｔを再び「０」に初期設定し（ステップＳ13）、さらにステップＳ10の判断処理を繰り返す。すなわち、制御部７は、１回目のＳ文字削除の後においては、ＢＳキー１２のＯＮ状態が内部タイマ値ｔとして「０．２」だけ継続する度に、カーソル１０から文頭方向に句読点までの文字（Ｓ文字）を繰り返し削除する。この結果、メール本文は、３回目のＳ文字削除によって図６（ｄ）に示すように修正され、さらに４回目のＳ文字削除によって図６（ｅ）に示すように修正され、最終的には全文が削除される、
【００３４】
このような本第１実施形態によれば、ＢＳキー１２のＯＮ状態の継続時間、つまりＢＳキー１２の長押しの継続時間に応じて句読点毎にＳ文字が順次削除される。したがって、本実施形態によれば、ユーザが意図する文字を容易かつスピーディに削除することができる。
【００３５】
〔第２実施形態〕
次に、本発明の第２実施形態について説明する。
この第２実施形態に係る複合機の機能構成及び機構構成は、上記第１実施形態の複合機Ａと全く同一であり、第２実施形態に係る複合機は、文字の削除方法のみが複合機Ａと相違する。したがって、以下では、第２実施形態における文字の削除方法について、図７のフローチャート及び図８の模式図を参照して詳しく説明する。
【００３６】
制御部７は、このような文字入力（文章作成）の途中において、ユーザがＢＳキー１２を操作すると、図７に示す文字削除処理を実行する。すなわち、制御部７は、ユーザの操作によってＢＳキー１２の状態が「ＯＮ」状態になると（ステップＳa1）、内部タイマ値ｔを「０」に、また制御変数Ｎを「１」にそれぞれ初期設定する（ステップＳa2）。そして、制御部７は、ＢＳキー１２のＯＮ状態が継続していない場合（ステップＳa3）、つまりＢＳキー１２の「ＯＮ」状態が「ＯＦＦ」状態に変化すると、カーソル１０の位置を基点として１文字を内部メモリ及び文字表示部９から削除し（ステップＳa4）、文字削除処理を終了する。
【００３７】
一方、制御部７は、ＢＳキー１２のＯＮ状態が継続している場合（ステップＳa3）、上記内部タイマ値ｔが第１の単位時間である「１」に至ったか否かを判断し（ステップＳa5）、この判断が「ＮＯ」の場合は、ステップＳa3を繰り返すことによりユーザがＢＳキー１２を長押し（ｔ＞１を満足するＢＳキー１２のＯＮ状態）ではなく通常操作した場合には、制御部７は、カーソル１０を基点として１文字のみを削除する（ステップＳa4）。そして、制御部７は、ＢＳキー１２が長押しされたと判断すると、つまりステップＳa5の判断が「ＹＥＳ」となると、句読点検索処理を実行する（ステップＳa6）。なお、この句読点検索処理は、第１実施形態における句読点検索処理（図５参照）と全く同一なので詳細な説明は省略する。
【００３８】
図８（ａ）では、カーソル１０の隣に句読点である「。」が存在するので、この句読点に該当する削除文字数Ｓは「１」となる。このようにして削除文字数Ｓの値を求めると、制御部７は、カーソル１０を基点として文頭方向のＳ文字先に制御変数Ｎ（＝１）を示す文字を挿入する（ステップＳa7）。ここで、制御変数Ｎは「１」に初期設定された状態、また削除文字数Ｓは「１」に設定されているので、メール本文には、図８（ｂ）に示すようにカーソル１０に隣接する「。」と「う」との間に、制御変数Ｎ（＝１）を示す「（１）」が補助符号として挿入される。
【００３９】
このようにして補助符号（１）のメール本文への挿入が完了すると、制御部７は、内部タイマ値ｔを「０」に再び初期設定し（ステップＳa8）、その上でＢＳキー１２のＯＮ状態がさらに継続しているか否かを判断する（ステップＳa9）。そして、制御部７は、ステップＳa9においてＢＳキー１２のＯＮ状態がさらに継続していると判断すると、上記内部タイマ値ｔが第２の単位時間である「０．２」に至ったか否かを判断する（ステップＳa10）。
【００４０】
そして、制御部７は、このステップＳa10の判断が「Ｙｅｓ」の場合、つまり補助符号（１）の挿入後、ＢＳキー１２のＯＮ状態が０．２を超えて継続している場合は、２回目の句読点検索処理を実行し（ステップＳa11）、その上で制御変数Ｎをインクリメントし（ステップＳa13）、さらにメール本文において上記補助符号（１）を基点として文頭方向のＳ文字先に制御変数Ｎ（＝２）を示す文字、つまり図８（ｂ）に示すように「（２）」を補助符号として挿入する（ステップＳa14）。
【００４１】
この２つ目の補助符号（２）の挿入が完了すると、制御部７は、内部タイマ値ｔを再び「０」に初期設定し（ステップＳa14）、さらにステップＳa10の判断処理を繰り返す。すなわち、制御部７は、１つ目の補助符号（１）のメール本文への挿入後においては、ＢＳキー１２のＯＮ状態が内部タイマ値ｔとして「０．２」だけ継続する度に、制御変数Ｎ値を示す補助符号「（２）」，「（３）」、……をメール本文に順次挿入する。
【００４２】
そして、ＢＳキー１２の長押し状態が解除されてＢＳキー１２のＯＮ状態がＯＦＦ状態に移行すると、ステップＳa10の判断が「Ｎｏ」となり、補助符号の挿入処理が終了する。そして、制御部７は、引き続いてステップＳa9の判断処理を実行するが、ＢＳキー１２はＯＦＦ状態にあるので、削除番号Ｍの入力待ち状態となる（ステップＳa15）。
【００４３】
ここで、ユーザがソフトウエアキーボード８内の数字キーあるいは操作キー１ｂ内の数字キーを操作することによって削除番号Ｍを指定すると（ステップＳa15）、制御部７は、削除番号Ｍが制御変数Ｎ内の数字であるか否かを判断し（ステップＳa16）、この判断が「Ｙｅｓ」の場合、つまりユーザがメール本文に挿入された補助符号（１），（２），……の範囲内の数字を削除番号Ｍとして指定した場合は、削除番号Ｍに該当する補助符号の文字を削除し（ステップＳa16）、全ての文字削除処理を終了する。なお、ステップＳa16の判断が「Ｎｏ」の場合には、ユーザが指示した削除番号Ｍを無効とし、文字を削除することなく全ての文字削除処理を終了する。
【００４４】
例えば、ユーザが削除番号Ｍとして「１」を指定した場合、図８（ｃ）に示すように、補助符号（１）に該当する文字、つまり補助符号（１）から文末側に位置する文字「。」が削除される。
【００４５】
このような本第１実施形態によれば、ＢＳキー１２のＯＮ状態の継続時間、つまりＢＳキー１２の長押しの継続時間に応じてメール本文に句読点毎に補助符号を設定し、この補助符号単位で文字が削除される。
したがって、本実施形態によれば、ユーザが意図する文字を容易かつスピーディに削除することができる。
【００４６】
なお、本発明は、上記実施形態に限定されるものではなく、例えば以下のような変形例が考えられる。
（１）上記変形例では、ＢＳキー１２のＯＮ状態が内部タイマ値ｔとして「０．２」だけ継続する度に削除文字数はＳ文字から順次１ずつ増加するようにしたが、さらなる変形例として、ＢＳキー１２のＯＮ状態が「０．２」だけ継続する度に削除文字数をＳ文字から順次１ずつ減少させるようにしても良い。
【００４７】
（２）上記実施形態は、画像形成装置の１つである複合機Ａにおける文字入力に関するものであるが、本発明は画像形成装置だけではなく、文字入力機能を有する各種の電子機器に適用することが可能である。
【００４８】
（３）また、上記実施形態では、ＢＳキー１２を文字削除指示用操作キーとしたが、文字削除指示用操作キーは、これに限定されない。例えば、操作キー１ｂの中のクリアキーを文字削除指示用操作キーとしても良い。
【図面の簡単な説明】
【００４９】
【図１】本発明の第１実施形態に係る複合機Ａの機能構成を示すブロック図である。
【図２】本発明の第１実施形態における操作表示部１のレイアウトを示す模式図である。
【図３】本発明の第１実施形態における文字入力画面のレイアウトを示す模式図である。
【図４】本発明の第１実施形態における文字削除処理を示す第１のフローチャートである。
【図５】本発明の第１実施形態における文字削除処理を示す第２のフローチャートである。
【図６】本発明の第１実施形態における文字削除動作を示す模式図である。
【図７】本発明の第２実施形態における文字削除処理を示すフローチャートである。
【図８】本発明の第２実施形態における文字削除動作を示す模式図である。
【符号の説明】
【００５０】
Ａ…複合機、１…操作表示部、１ａ…タッチパネル、１ｂ…操作キー、２…画像読取部、３画像記憶部、４…通信部、５…画像処理部、６…印刷部、７…制御部、８…ソフトウエアキーボード、９…文字表示部、１０…カーソル
【図１】
2008243036.tif 000003
【図２】
2008243036.tif 000004
【図３】
2008243036.tif 000005
【図４】
2008243036.tif 000006
【図５】
2008243036.tif 000007
【図６】
2008243036.tif 000008
【図７】
2008243036.tif 000009
【図８】
2008243036.tif 000010